(57)【要約】【課題】コストアップ及び回路大型化を最小限に抑えつつ、ＵＨＦ帯域内のテレビジョン信号受信時における妨害特性を改善することができる入力同調回路を実現すること。【解決手段】ＵＨＦ帯域内のテレビジョン信号受信時に、スイッチングダイオード２１をオンして、同調回路部３をＵＨＦ帯域に同調させ、また、スイッチングダイオード９をオンして同調回路部２ＢをＵＨＦ帯域内の受信信号周波数より低い周波数帯域内におけるトラップ回路として作用させるようにした。これにより、同調回路部３の通過特性が狭くなって、妨害特性を改善できる。しかも、既存の同調回路部２をトラップ回路として利用することから、専用のトラップ回路を別途設ける必要がないため、コストアップを最小限に抑えることができ、回路が大型化することもない。【選択図】図１
2011249982.tif 000002
【特許請求の範囲】
【請求項１】
入力端に接続され第１の周波数バンド及び前記第１の周波数バンドより周波数の高い第２の周波数バンドを選択的に受信可能な第１の同調回路部と、前記入力端に前記第１の同調回路部と並列に接続され前記第２の周波数バンドより周波数の高い第３の周波数バンドを受信可能な第２の同調回路部と、前記入力端と前記第２の同調回路部との間に設けられた第１のスイッチ素子と、を備えたテレビジョンチューナの入力同調回路であり、
前記第１の同調回路部は、複数の同調用インダクタと、前記複数の同調用インダクタと共に同調回路を構成する可変容量素子と、前記第１の周波数バンド受信時は非導通であり前記第２の周波数バンド受信時に導通して前記同調回路内のインダクタンス値を下げる第２のスイッチ素子とを有し、
前記第３の周波数バンド受信時に、前記第１のスイッチ素子を導通させると共に、前記第２のスイッチ素子を導通させ、前記第３の周波数バンドの受信信号周波数より低い周波数帯域内にトラップを形成することを特徴とするテレビジョンチューナの入力同調回路。
【請求項２】
前記第１の同調回路部は、入力端に一端がそれぞれ接続された第１及び第２のインダクタと、前記第１のインダクタの他端とグランド間に接続された第３のインダクタと、前記第２のインダクタの他端とグランド間に接続された前記可変容量素子と、前記第１のインダクタの他端と前記第２のインダクタの他端との間に接続された前記第２のスイッチ素子と、前記第１のインダクタの他端と前記第２のインダクタの他端間で、前記第２のスイッチ素子に直列接続されるか又は前記第２のインダクタの他端と前記可変容量素子との間に介挿される第４のインダクタとで構成されていることを特徴とする請求項１に記載のテレビジョンチューナの入力同調回路。
【請求項３】
前記可変容量素子に対して並列に接続可能なキャパシタを設け、
前記第１、第２の周波数バンド受信時には前記キャパシタを接続し、
前記第３の周波数バンド受信時には前記キャパシタを非接続とするようにしたことを特徴とする請求項１又は請求項２に記載のテレビジョンチューナの入力同調回路。
【請求項４】
前記可変容量素子に対して直列に接続可能なキャパシタを設け、
前記第１、第２の周波数バンド受信時に、前記キャパシタを非接続とし、
前記第３の周波数バンド受信時に、前記キャパシタを接続するようにしたことを特徴とする請求項１又は請求項２記載のテレビジョンチューナの入力同調回路。
【請求項５】
前記第１の周波数バンドはＶＨＦ帯域のローバンドであり、
前記第２の周波数バンドはＶＨＦ帯域のハイバンドであり、
前記第３の周波数バンドはＵＨＦ帯域であることを特徴とする請求項１乃至請求項４のいずれかに記載のテレビジョンチューナの入力同調回路。
【発明の詳細な説明】
【技術分野】
【０００１】
本発明は、テレビジョンチューナの入力段に用いることのできる入力同調回路に関する。
【背景技術】
【０００２】
従来、テレビジョンチューナの入力同調回路として、ＶＨＦ−Ｌｏｗバンド、ＶＨＦ−Ｈｉｇｈｔバンド及びＵＨＦバンドの各バンドに同調するように構成されたバンド切替型の入力同調回路がある（例えば、特許文献１参照）。このバンド切替型入力同調回路は、ＶＨＦ−Ｌｏｗ／Ｈｉｇｈｔバンドのテレビジョン信号に同調する第１の同調回路部と、ＵＨＦバンドのテレビション信号に同調する第２の同調回路部とを有し、スイッチングダイオード等のスイッチ手段を用いて第１又は第２の同調回路へ切替えている。
【先行技術文献】
【特許文献】
【０００３】
【特許文献１】実用新案登録第３１０１８３０号公報
【発明の概要】
【発明が解決しようとする課題】
【０００４】
ところで、従来の入力同調回路においては、ＵＨＦバンド受信時における妨害特性を改善したいという要望がある。ＵＨＦ受信側となる第２の同調回路部にトラップ回路を付加することで妨害特性を改善できるが、トラップ回路を付加することで、回路が大型化及びコストアップを招く問題が発生する。
【０００５】
本発明は、かかる点に鑑みてなされたものであり、コストアップの抑制と回路の小型化を図りつつ、ＵＨＦバンド受信時における妨害特性を改善することができる入力同調回路を提供することを目的とする。
【課題を解決するための手段】
【０００６】
本発明のテレビジョンチューナの入力同調回路は、入力端に接続され第１の周波数バンド及び前記第１の周波数バンドより周波数の高い第２の周波数バンドを選択的に受信可能な第１の同調回路部と、前記入力端に前記第１の同調回路部と並列に接続され前記第２の周波数バンドより周波数の高い第３の周波数バンドを受信可能な第２の同調回路部と、前記入力端と前記第２の同調回路部との間に設けられた第１のスイッチ素子と、を備えたテレビジョンチューナの入力同調回路であり、前記第１の同調回路部は、複数の同調用インダクタと、前記複数の同調用インダクタと共に同調回路を構成する可変容量素子と、前記第１の周波数バンド受信時は非導通であり前記第２の周波数バンド受信時に導通して前記同調回路内のインダクタンス値を下げる第２のスイッチ素子とを有し、前記第３の周波数バンド受信時に、前記第１のスイッチ素子を導通させると共に、前記第２のスイッチ素子を導通させ、前記第３の周波数バンドの受信信号周波数より低い周波数帯域内にトラップを形成することを特徴とする。
【０００７】
この構成によれば、第３の周波数バンド受信時に、第１のスイッチ素子を導通させて、第２の同調回路部を第３の周波数バンドに同調させ、また、第２のスイッチ素子を導通させて第２の同調回路部に接続された第１の同調回路部で第３の周波数バンドの受信周波数より低い周波数にトラップを形成するようにしたので、第２の同調回路部のＱが改善されて、妨害特性が改善される。しかも、第３の周波数バンド受信時に形成するトラップは第１の同調回路部を利用することから、部品点数の増加が無く、コストアップを最小限に抑えることができるとともに、回路規模の大型化を防止することもできる。
【０００８】
また本発明は、上記テレビジョンチューナの入力同調回路において、前記第１の同調回路部は、入力端に一端がそれぞれ接続された第１及び第２のインダクタと、前記第１のインダクタの他端とグランド間に接続された第３のインダクタと、前記第２のインダクタの他端とグランド間に接続された前記可変容量素子と、前記第１のインダクタの他端と前記第２のインダクタの他端との間に接続された前記第２のスイッチ素子と、前記第１のインダクタの他端と前記第２のインダクタの他端間で、前記第２のスイッチ素子に直列接続されるか又は前記第２のインダクタの他端と前記可変容量素子との間に介挿される第４のインダクタとで構成されていることを特徴とする。
【０００９】
この構成により、第３の周波数バンド受信時に、前記第１のスイッチ素子を導通させて第２の同調回路部に第１の同調回路部を接続し、前記第２のスイッチ素子を導通させて第４のインダクタが投入されることで第１の同調回路部のインダクタンス値を下げられ、第３の周波数バンドの受信信号周波数より低い周波数帯域内にトラップを形成することができる。
【００１０】
また本発明は、上記テレビジョンチューナの入力同調回路において、前記可変容量素子に対して並列に接続可能なキャパシタを設け、前記第１、第２の周波数バンド受信時には前記キャパシタを接続し、前記第３の周波数バンド受信時には前記キャパシタを非接続とするようにしたことを特徴とする。
【００１１】
この構成により、第１、第２の周波数バンドを受信する場合は、可変容量素子に並列にキャパシタを接続し、第３の周波数バンド受信時にはキャパシタを非接続にして容量を小さくする。第３の周波数バンド受信時に第１の同調回路部の容量を小さくすることで、第１の同調回路部を第３の周波数バンドの受信周波数より低い周波数帯域内におけるトラップ回路として作用させることができ、第２の同調回路部のＱを改善でき、妨害特性を更に改善することができる。
【００１２】
また本発明は、上記テレビジョンチューナの入力同調回路において、前記可変容量素子に対して直列に接続可能なキャパシタを設け、前記第１、第２の周波数バンド受信時に、前記キャパシタを非接続とし、前記第３の周波数バンド受信時に、前記キャパシタを接続するようにしたことを特徴とする。
【００１３】
この構成により、可変容量素子に直列にキャパシタを接続することで、可変容量素子とキャパシタの合成容量を該キャパシタの非接続時よりも小さくできる。したがって、第３の周波数バンド受信時に、第１、第２の周波数バンド受信時よりも合成容量が小さくなるように制御することで、第１の同調回路部により第３の周波数バンドの受信周波数より低い周波数帯域にトラップを形成できる。
【００１４】
上記テレビジョンチューナの入力同調回路において、前記第１の周波数バンドはＶＨＦ帯域のローバンドであり、前記第２の周波数バンドはＶＨＦ帯域のハイバンドであり、前記第３の周波数バンドはＵＨＦ帯域であることとしても良い。
【発明の効果】
【００１５】
本発明によれば、バンド切替型の入力同調回路において、コストアップの抑制と回路の小型化を図りつつ、ＵＨＦバンド受信時における妨害特性を改善することができる。
【図面の簡単な説明】
【００１６】
【図１】本発明の実施の形態１に係る入力同調回路の回路構成を示す図である。
【図２】図１の入力同調回路でＶＨＦ−Ｌｏｗ／Ｈｉｇｈｔバンド及びＵＨＦバンドそれぞれのテレビジョン信号を受信するときのスイッチングダイオードのオン・オフ状態を示す図である。
【図３】図１の入力同調回路のＶＨＦバンド用の同調回路部をトラップ回路として利用したときの概略構成を示す図である。
【図４】図３のＶＨＦバンド用の同調回路部の等価回路を示す図である。
【図５】図１の入力同調回路におけるＵＨＦバンド用の同調回路部の通過特性を示す図である。
【図６】本発明の実施の形態２に係る入力同調回路のＶＨＦバンド用の同調回路部をトラップ回路として利用したときの概略構成を示す図である。
【図７】図６の入力同調回路におけるＵＨＦバンド用の同調回路部の通過特性を示す図である。
【図８】本発明の実施の形態３に係る入力同調回路のＶＨＦバンド用の同調回路部をトラップ回路として利用したときの概略構成を示す図である。
【発明を実施するための形態】
【００１７】
以下、本発明の実施の形態について添付図面を参照して詳細に説明する。
（実施の形態１）
図１は、本発明の実施の形態１に係る入力同調回路の回路構成を示す図である。同図において、本実施の形態の入力同調回路１は、ＶＨＦ−Ｌｏｗバンド、ＶＨＦ−Ｈｉｇｈｔバンド及びＵＨＦバンドの各バンドに同調するように構成されたバンド切替型の同調回路であり、ＶＨＦ−Ｌｏｗ／Ｈｉｇｈｔバンドの信号に同調するＶＨＦ同調回路部２と、ＵＨＦバンドの信号に同調するＵＨＦ同調回路部３とを有する。
【００１８】
ＶＨＦ同調回路部２は、ＲＦ入力端５０に共に一端が接続された同調用インダクタ４及び５（第１及び第２のインダクタ）と、同調用インダクタ４の他端とグランド間に接続された同調用インダクタ（第３のインダクタ）６と、一端が同調用インダクタ５の他端に接続された同調用インダクタ（第４のインダクタ）７と、カソードが同調用インダクタ５の他端に接続され、アノードがグランドに接続された同調用バラクタダイオード（可変容量素子）８と、アノードが同調用インダクタ４の他端に接続され、カソードが同調用インダクタ７の他端に接続されたスイッチングダイオード（第２のスイッチ素子）９と、を有している。このＶＨＦ同調回路部２は、ＶＨＦ−Ｌｏｗバンドのテレビジョン信号受信時には、同調用インダクタ７の他端をオープンにしたＶＨＦ同調回路部２Ａとなり、ＶＨＦ−Ｈｉｇｈｔバンドのテレビジョン信号受信時には、同調用インダクタ７を投入したＶＨＦ同調回路部２Ｂとなる。
【００１９】
ＶＨＦ同調回路部２の同調用バラクタダイオード８のカソード側には同調電圧Ｖｔｕが印加される。ＶＨＦ−Ｌｏｗ／Ｈｉｇｈｔバンド内での選局時にチャンネルの周波数に応じた同調電圧Ｖｔｕが同調用バラクタダイオード８に印加される。ＶＨＦ同調回路部２に同調したＶＨＦ−Ｌｏｗ／Ｈｉｇｈｔバンドのテレビジョン信号は、バラクタダイオード１０、直流カットキャパシタ１１を通り、ＶＨＦ出力端５１から出力される。ＶＨＦ出力端５１とＲＦ入力端５０との間には補助的な容量（同調用バラクタダイオード８に印加される電圧が高いときに容量を補う容量）であるキャパシタ１２が介挿されている。
【００２０】
ＵＨＦ同調回路部（第２の同調回路部）３は、一端が信号ライン側に接続され、他端がグランドに接続された同調用インダクタ１５と、アノードが同調用インダクタ１５の一端に接続され、カソードが直流カットキャパシタ１７を介して接地される同調用バラクタダイオード（可変容量素子）１６と、を有している。ＵＨＦ同調回路部３は、インピーダンス調整用インダクタ１８及び１９、直流カットキャパシタ２０、スイッチングダイオード（第１のスイッチ素子）２１を介してＲＦ入力端５０に接続されている。スイッチングダイオード２１は、カソードをＲＦ入力端５０側に向けて介挿されている。
【００２１】
ＵＨＦ同調回路部３の同調用バラクタダイオード１６及び同調用バラクタダイオード２２それぞれのカソード側には同調電圧Ｖｔｕが印加される。ＵＨＦバンドでの選局時にチャンネルの周波数に応じた同調電圧Ｖｔｕが同調用バラクタダイオード１６及び２２に印加される。ＵＨＦ同調回路部３に同調したＵＨＦバンドのテレビジョン信号は、同調用バラクタダイオード２２、直流カットコンデンサ２３を通り、ＵＨＦ出力端５２から出力される。なお、同調用バラクタダイオード２２の両端間にはコンデンサ２４が並列に接続されている。また、ＵＨＦ出力端５２とインピーダンス調整用のインダクタ１８及び１９の入力側との間には補助的な容量（同調用バラクタダイオード１６及び２２に印加される電圧が高いときに容量を補う容量）であるコンデンサ２５が並列に介挿されている。
【００２２】
図２は、ＶＨＦ−Ｌｏｗ／Ｈｉｇｈｔバンド及びＵＨＦバンドそれぞれのテレビジョン信号を受信するときのスイッチングダイオード２１，９のオン／オフ状態を示す図である。ＶＨＦ−Ｌｏｗバンドのテレビジョン信号を受信するときは、スイッチングダイオード２１及び９を共にオフする。これにより、ＵＨＦ受信側では信号経路Ｐ２が遮断されてＵＨＦ同調回路部３側はオープンとなる。一方、ＶＨＦ受信側では、同調用インダクタ７の他端がオープンとなり、同調帯域がＶＨＦ−Ｌｏｗバンドに合わせ込まれたＶＨＦ同調回路部２Ａが構成され、ＶＨＦ−Ｌｏｗバンドのテレビジョン信号を受信可能になる。
【００２３】
また、ＶＨＦ−Ｈｉｇｈｔバンドのテレビジョン信号を受信するときは、図２に示すように、スイッチングダイオード２１をオフし、スイッチングダイオード９をオンする。スイッチングダイオード２１をオフすることで、ＶＨＦ−Ｌｏｗバンドのテレビジョン信号を受信するときと同様にＵＨＦ受信側の信号経路Ｐ２が遮断される。一方、ＶＨＦ受信側ではスイッチングダイオード９をオンすることで、インダクタ７が投入されて同調帯域がＶＨＦ−Ｈｉｇｈｔバンドに併せ込まれたＶＨＦ同調回路部２Ｂが構成され、ＶＨＦ−Ｈｉｇｈｔバンドのテレビジョン信号を受信可能になる。
【００２４】
また、ＵＨＦバンドのテレビジョン信号を受信するときは、図２に示すように、スイッチングダイオード２１及び９を共にオンする。スイッチングダイオード２１をオンすることで、直流カットコンデンサ２０を通る信号経路Ｐ２にＵＨＦバンドのテレビジョン信号が伝搬し、同調用インダクタ１５と同調用バラクタダイオード１６とで構成されるＵＨＦ同調回路部３にてＵＨＦバンドのテレビジョン信号を受信可能になる。
【００２５】
一方、ＶＨＦ同調回路部２のスイッチングダイオード９をオンすることで、ＲＦ入力端５０にはＵＨＦ同調回路部３とは並列にＶＨＦ−Ｈｉｇｈｔバンドに対応した構成のＶＨＦ同調回路部２Ｂが接続されることになる。同調電圧ＶｔｕはＵＨＦ同調回路部３と並列にＶＨＦ同調回路部２Ｂにも印加されるので、ＶＨＦ同調回路部２Ｂの状態はＵＨＦ同調回路部３と連動して変化する。このとき、ＶＨＦ同調回路部２ＢはＶＨＦ−Ｈｉｇｈｔバンドのテレビジョン信号の受信用として用いられるのではなく、ＵＨＦバンド内の受信信号周波数より低い周波数帯域に減衰極を有するトラップ回路として機能する。
【００２６】
図３は、ＵＨＦバンド受信時において、ＶＨＦ同調回路部２Ｂをトラップ回路として利用したときの入力同調回路１の概略構成を示す図である。スイッチングダイオード９はオンしているので、同調用インダクタ７を含むＶＨＦ同調回路部２Ｂがトラップ回路としてＵＨＦ同調回路部３に付加される。
【００２７】
図４は、スイッチングダイオード９はオンしているときのＶＨＦ同調回路部２Ｂの等価回路を示す図である。インダクタＬは、同調用インダクタ５〜７を１つのインダクタに置き換えたものである。キャパシタＣ１は、主に同調用バラクタダイオード８の容量である。
【００２８】
ＵＨＦバンド受信時において、ＵＨＦ同調回路部３に対して、図４に示すトラップ回路が接続されることで、ＵＨＦ同調回路部３の通過特性は狭くなる。すなわち、急峻な特性になる。ＵＨＦ同調回路部３のＱ値が高くなるということができる。
【００２９】
図５は、図４に示すトラップ回路が接続されたＵＨＦ同調回路部３の通過特性を示す図である。ＶＨＦ−Ｈｉｇｈｔバンド用のＶＨＦ同調回路部２Ｂによるトラップ回路が無い場合は実線で示す特性Ｃａとなり、ＶＨＦ−Ｈｉｇｈｔバンド用のＶＨＦ同調回路部２Ｂによるトラップ回路が接続された場合は、特に低い周波数帯域内において点線で示す特性Ｃｂとなる。すなわち、ＶＨＦ−Ｈｉｇｈｔバンド用のＶＨＦ同調回路部２Ｂがトラップ回路として接続されることでＵＨＦバンド用のＵＨＦ同調回路部３の低域側の通過特性は急峻にすることができる。ＵＨＦバンド内の受信信号周波数より低い周波数帯域内において通過特性が急峻になることで、同帯域内において妨害電波の抑圧が可能となり、ＵＨＦバンド用のＵＨＦ同調回路部３における妨害特性を改善することができる。
【００３０】
このように本実施の形態の入力同調回路１では、ＵＨＦバンド受信時に、スイッチングダイオード２１、９をオンして、ＶＨＦ−Ｈｉｇｈｔバンド用のＶＨＦ同調回路部２ＢをＵＨＦ同調回路部３に接続してトラップ回路として作用させることで、ＵＨＦバンド低域側の減衰量を確保するようにしたので、ＵＨＦ同調回路部３のＱを改善できて（急峻な特性に）、妨害特性を改善できる。しかも、既存のＶＨＦ同調回路部２をトラップ回路として利用することから、専用のトラップ回路を別途設ける必要がないため、コストアップを最小限に抑えることができる。また、回路が大型化することもない。
【００３１】
（実施の形態２）
図６は、本発明の実施の形態２に係る入力同調回路の回路構成を示す図である。なお、同図において前述した図１及び図３と共通する素子には同一の符号を付けている。本実施の形態２は、ＵＨＦバンド受信時にＶＨＦ−Ｈｉｇｈｔバンド用のＶＨＦ同調回路部２Ｂ−１をトラップ回路として利用する。
【００３２】
本実施の形態の入力同調回路３０は、ＶＨＦバンド用のＶＨＦ同調回路部２の同調用バラクタダイオード８に対して並列にキャパシタ３１とスイッチングダイオード３２からなる直列回路を接続し、ＶＨＦ−Ｌｏｗ／Ｈｉｇｈｔバンドのテレビジョン信号受信時には、スイッチングダイオード３２をオンしてキャパシタ３１を投入し、ＵＨＦバンド受信時には、スイッチングダイオード３２をオフしてキャパシタの影響を排除するようにしたものである。
【００３３】
トラップ回路として利用するＶＨＦバンド用のＶＨＦ同調回路部２の同調用バラクタダイオード８の静電容量を本来の値（図１の回路構成を前提とした値）より小さくすることで、ＶＨＦ−Ｈｉｇｈｔバンド用のＶＨＦ同調回路部２Ｂ−１をトラップ回路として利用したときに、ＵＨＦバンド用のＵＨＦ同調回路部３のＱを更に改善することができる。これにより、ＵＨＦバンド受信時のＵＨＦ同調回路部３における妨害特性を更に改善することができる。
【００３４】
図７は、ＵＨＦバンド受信時におけるＵＨＦ同調回路部３の通過特性を示す図である。ＶＨＦ−Ｈｉｇｈｔバンド用のＶＨＦ同調回路部２Ｂ−１によるトラップ回路が無い場合は実線で示す特性Ｃａとなり、ＶＨＦ−Ｈｉｇｈｔバンド用のＶＨＦ同調回路部２Ｂ−１によるトラップ回路が有ると、特に低い周波数帯域内において１点鎖線で示す特性Ｃｃとなる。すなわち、ＶＨＦ−Ｈｉｇｈｔバンド用のＶＨＦ同調回路部２Ｂ−１によるトラップ回路が有ることで、ＵＨＦバンド用のＵＨＦ同調回路部３の通過特性は狭くなる。ＵＨＦバンド内の受信信号周波数より低い周波数帯域内において通過特性が狭くなることで、同帯域内において妨害電波を抑圧することができ、ＵＨＦバンド用のＵＨＦ同調回路部３における妨害特性が改善される。
【００３５】
ところで、ＶＨＦ同調回路部２の同調用バラクタダイオード８の静電容量をトラップ回路用に設定すると、ＶＨＦ−Ｌｏｗ／Ｈｉｇｈｔバンドのテレビジョン信号を受信する時には元の静電容量に戻す必要がある。その場合は、スイッチングダイオード３２をオンして同調用バラクタダイオード８に並列にキャパシタ３１を接続する。この場合、ＶＨＦ−Ｌｏｗ／Ｈｉｇｈｔバンドのテレビジョン信号受信時の同調用バラクタダイオード８の静電容量をＣ１とし、トラップ回路として利用したときの同調用バラクタダイオード８の静電容量をＣ１’とし、同調用バラクタダイオード８に並列に接続するキャパシタ３１の静電容量をＣ０とすると、Ｃ１はＣ１’＋Ｃ０となる。
【００３６】
このように本実施の形態の入力同調回路３０では、ＶＨＦバンド用のＶＨＦ同調回路部２の同調用バラクタダイオード８に並列にキャパシタ３１を接続可能とし、ＶＨＦ−Ｌｏｗ／Ｈｉｇｈｔバンドのテレビジョン信号を受信する時にはキャパシタ３１を投入し、ＵＨＦバンドのテレビジョン信号を受信する時にはキャパシタ３１を高周波的にみえなくするようにしたので、ＵＨＦバンド受信時にＵＨＦ同調回路部３における通過特性を更に狭くすることができ、ＵＨＦ同調回路部３における妨害特性を更に改善できる。
【００３７】
（実施の形態３）
図８は、本発明の実施の形態３に係る入力同調回路の回路構成を示す図である。なお、同図において前述した図１、図３及び図６と共通する素子には同一の符号を付けている。実施の形態３は、ＵＨＦバンド受信時に、ＶＨＦ−Ｈｉｇｈｔバンド用のＶＨＦ同調回路部２Ｂ−２をトラップ回路として利用する。
【００３８】
本実施の形態の入力同調回路４０は、ＶＨＦ同調回路部２の同調用バラクタダイオード８に対して、キャパシタ３３とスイッチングダイオード３２からなる並列回路を直列に接続し、ＶＨＦ−Ｌｏｗ／Ｈｉｇｈｔバンドのテレビジョン信号受信時には、スイッチングダイオード３２をオンしてキャパシタ３３を高周波的に非接続とし、ＵＨＦバンド受信時には、スイッチングダイオード３２をオフしてキャパシタ３３を接続するようにしたものである。すなわち、同調用バラクタダイオード８へのキャパシタ３３の接続を前述した実施の形態２の入力同調回路３０と逆にしたものである。
【００３９】
同調用バラクタダイオード８にキャパシタ３３を直列に接続することで、同調用バラクタダイオード８との合成静電容量が同調用バラクタダイオード８単独での静電容量より小さくなるので、ＶＨＦ同調回路部２をＶＨＦ−Ｈｉｇｈｔバンド用のＶＨＦ同調回路部２Ｂ−２にして、このＶＨＦ同調回路部２Ｂ−２をトラップ回路として利用した場合に、ＵＨＦバンド用のＵＨＦ同調回路部３の通過特性を更に狭くすることができる。したがって、この場合もＵＨＦバンド用のＵＨＦ同調回路部３における妨害特性を更に改善することができる。
【００４０】
このように本実施の形態の入力同調回路４０では、ＶＨＦバンド用のＶＨＦ同調回路部２の同調用バラクタダイオード８に直列に接続可能なキャパシタ３３を設け、ＶＨＦ−Ｌｏｗ／Ｈｉｇｈｔバンドのテレビジョン信号を受信する時にはキャパシタ３３を非接続とし、ＵＨＦバンドのテレビジョン信号を受信する時にはキャパシタ３３を接続するようにしたので、ＵＨＦバンドのテレビジョン信号受信時にはＵＨＦバンド用のＵＨＦ同調回路部３の通過特性を更に狭くすることができ、ＵＨＦバンド用のＵＨＦ同調回路部３における妨害特性を更に改善できる。
【産業上の利用可能性】
【００４１】
本発明は、テレビジョンの入力同調回路として適用可能である。
【符号の説明】
【００４２】
１          入力同調回路                    ２        ＶＨＦ同調回路部
２Ｂ        ＶＨＦ同調回路部                ２Ｂ−１  ＶＨＦ同調回路部
２Ｂ−２    ＶＨＦ同調回路部                ３        ＵＨＦ同調回路部
４〜７      同調用インダクタ                ８        同調用バラクタダイオード
９          スイッチングダイオード          １０      結合用バラクタダイオード
１１        直流キャパシタ                  １２      キャパシタ
１５        同調用インダクタ                １６      同調用バラクタダイオード
１７        直流カットキャパシタ
１８、１９  インピーダンス調整用インダクタ  ２０      直流カットキャパシタ
２１        スイッチングダイオード          ２２      同調用バラクタダイオード
２３        直流カットコンデンサ            ２４      コンデンサ
２５        コンデンサ                      ３０      入力同調回路
３１        キャパシタ                      ３２      スイッチングダイオード
３３        キャパシタ                      ４０      入力同調回路
５０        ＲＦ入力端                      ５１      ＶＨＦ出力端
５２        ＵＨＦ出力端
【図１】
2011249982.tif 000003
【図２】
2011249982.tif 000004
【図３】
2011249982.tif 000005
【図４】
2011249982.tif 000006
【図５】
2011249982.tif 000007
【図６】
2011249982.tif 000008
【図７】
2011249982.tif 000009
【図８】
2011249982.tif 000010